(57)【要約】【課題】  入口部より内部が広がった凹部を備えた被取付物を支持材に取り付ける取付具において、取付具を先に支持材に取り付けてから被取付物を取付具に取り付けでき、かつ取り付けを確実とする。【解決手段】  互いの間に折り曲げ部９を形成する第一および第二の折り曲げ面７，８を設ける。基端側のみ第一の折り曲げ面７に連続し、第二の折り曲げ面８からは切り起こされた第一の分離片１２を設け、この第一の分離片１２に、被取付物の凹部の内面に当接される第一の係合片１８を切り起こす。同様の第二の分離片１３と第二の係合片１９を、第一の折り曲げ面７と第二の折り曲げ面８との関係を逆にして設ける。第一および第二の折り曲げ面を部分的にのみ連続させ、これらの折り曲げ面に第一および第二の係合片を切り起こしてもよい。【選択図】    図１
2005273286.tif 000002
【特許請求の範囲】
【請求項１】
入口部より内部が広がっている凹部を設けられた被取付物を支持材に取り付けるための取付具において、
弾性を有する金属板を加工してなり、前記支持材に取り付けられる取付具本体部と、この取付具本体部に設けられた、互いに折り曲げられて折り曲げ部を形成している第一および第二の折り曲げ面と、基端側のみを前記第一の折り曲げ面に連続されるとともに前記第二の折り曲げ面からは切り起こされた状態とされて先端側を前記折り曲げ部から突出された第一の分離片と、基端側のみを前記第二の折り曲げ面に連続されるとともに前記第一の折り曲げ面からは切り起こされた状態とされて先端側を前記折り曲げ部から突出された第二の分離片と、前記第一の分離片の一部を該第一の分離片の先端から遠い側が切り残されるようにして外側に切り起こされた第一の係合片と、前記第二の分離片の一部を該第一の分離片の先端から遠い側が切り残されるようにして外側に切り起こされた第二の係合片とを有し、
前記第一および第二の係合片が相対的に前記凹部の入口部側から該凹部の内部側に向かって押し込まれて行くと、前記第一および第二の係合片が一旦前記凹部の入口部に押されて内側に引っ込められるように弾性変位するが、前記凹部の入口部を通過すると、前記第一および第二の係合片が弾性復元力により広がって該第一および第二の係合片の先端側が前記凹部の内面に当接するようになっている取付具。
【請求項２】
外力を作用されていない状態では、前記第一の分離片は前記第一の折り曲げ面と同一平面上に位置し、前記第二の分離片は前記第二の折り曲げ面と同一平面上に位置するようになっている請求項１記載の取付具。
【請求項３】
前記係合片は、外側に凹となるように湾曲されている請求項１または２に記載の取付具。
【請求項４】
入口部より内部が広がっている凹部を設けられた被取付物を支持材に取り付けるための取付具において、
弾性を有する金属板を加工してなり、前記支持材に取り付けられる取付具本体部と、この取付具本体部に設けられた、互いに折り曲げられて折り曲げ部を形成している第一および第二の折り曲げ面と、前記第一の折り曲げ面と前記第二の折り曲げ面との間に設けられ、前記第一の折り曲げ面と前記第二の折り曲げ面とを部分的に非連続とし、前記折り曲げ部が前記第一の折り曲げ面と前記第二の折り曲げ面とを部分的にのみ連続させるようにする切り込みと、前記第一の折り曲げ面の一部を前記折り曲げ部側が切り残されるようにして外側に切り起こされた第一の係合片と、前記第二の折り曲げ面の一部を前記折り曲げ部側が切り残されるようにして外側に切り起こされた第二の係合片とを有し、
前記折り曲げ部が相対的に前記凹部の入口部側から該凹部の内部側に向かって押し込まれて行くと、前記第一および第二の係合片が一旦前記凹部の入口部に押されて内側に引っ込められるように弾性変位するが、前記凹部の入口部を通過すると、前記第一および第二の係合片が弾性復元力により広がって該第一および第二の係合片の先端側が前記凹部の内面に当接するようになっている取付具。
【請求項５】
前記切り込みは、前記第一の折り曲げ面と前記第二の折り曲げ面との間の両外側部分を非連続とし、前記折り曲げ部が前記第一の折り曲げ面と前記第二の折り曲げ面とを中央部においてのみ連続させるようにしている請求項４記載の取付具。
【請求項６】
前記折り曲げ部の端部から前記第一および第二の折り曲げ面間に延び、前記第一および第二の折り曲げ面が互いに近づく方向に前記折り曲げ部が所定大きさまで変形されると、前記第一および第二の折り曲げ面に挟み付けられ、前記折り曲げ部のそれ以上の変形を制限する過大変形防止片をさらに有する請求項４または５記載の取付具。
【発明の詳細な説明】
【技術分野】
【０００１】
本発明は入口部より内部が広がっている凹部を設けられた被取付物を支持材に取り付ける取付具に係り、特に、被取付物が例えば家屋等の建物の外装化粧材（出隅材、幕板、付け柱、破風板等）、外装材、内壁材等である場合に好適な取付具に関する。
【背景技術】
【０００２】
特許文献１には、従来のこの種の取付具の一種として、建物の外装出隅材を柱（支持材）に取り付ける出隅材取付具が開示されている。この場合、取付対象となる出隅材側には開口部（入口部）より内部が広がっている嵌合溝（凹部）が設けられている。出隅材取付具は、Ｕ字状に折り曲げられた嵌合部と、この嵌合部から外側に切り起こされた嵌合溝係合突起と、前記嵌合部の両側に連続する一対の平板状の片部とを備えている。
【０００３】
この取付具においては、まず取付具の両片部に外力を加えて両片部間の角度が小さくなる方向に変形することにより、嵌合部を外装出隅材の嵌合溝に挿入可能な幅となるように弾性圧縮変形させ、その状態で、嵌合溝の開口部から嵌合溝内に嵌合部を深く挿入し、しかる後に加えていた外力を解除することにより、嵌合部を嵌合溝内に挿入した状態で取付具を出隅材に取り付ける。この取付状態において、嵌合溝係合突起は嵌合溝に係合することが期待されている。そして、このようにして取付具を取り付けられた出隅材を柱（支持材）に取り付けることにより、取付具を介して出隅材を柱に取り付けるようになっている。
【特許文献１】特開２００１−１９３２６１号公報
【発明の開示】
【発明が解決しようとする課題】
【０００４】
しかしながら、前記出隅材取付具においては、Ｕ字状に折り曲げられた嵌合部は、取付具を先に柱（支持材）に取り付けてしまうと、変形できず、したがって嵌合溝内に深く挿入できなくなる構造となっている。このため、必ず出隅材（被取付物）に取付具を取り付けてから取付具を柱（支持材）に取り付ける必要があり、取付具を先に柱（支持材）を取り付けてから出隅材（被取付物）を取付具に取り付けることはできないという問題があった。
【０００５】
また、全体として弾性変形により嵌合溝係合突起が変位できる範囲が小さくなるため、場合によっては嵌合溝係合突起が嵌合溝に有効に係合されない状態となり、取り付けが不確実になる虞があるという問題もあった。
【０００６】
本発明は、このような従来の事情に鑑みてなされたもので、本発明の目的は、取付具を先に支持材に取り付けてから被取付物を取付具に取り付けることも、被取付物に取付具を取り付けてから取付具を支持材に取り付けることもできる取付具を提供することを目的とする。
【０００７】
本発明の他の目的は、被取付物の凹部の内面に係合される係合片の弾性変位範囲を大きくし、係合片が常に有効に凹部の内面に弾性的に当接されて係合され、被取付物が支持材に確実に取り付けられるようにすることができる取付具を提供することにある。
【０００８】
本発明のさらに他の目的は、以下の説明から明らかになろう。
【課題を解決するための手段】
【０００９】
第一の本発明による取付具は、入口部より内部が広がっている凹部を設けられた被取付物を支持材に取り付けるための取付具において、
弾性を有する金属板を加工してなり、前記支持材に取り付けられる取付具本体部と、この取付具本体部に設けられた、互いに折り曲げられて折り曲げ部を形成している第一および第二の折り曲げ面と、基端側のみを前記第一の折り曲げ面に連続されるとともに前記第二の折り曲げ面からは切り起こされた状態とされて先端側を前記折り曲げ部から突出された第一の分離片と、基端側のみを前記第二の折り曲げ面に連続されるとともに前記第一の折り曲げ面からは切り起こされた状態とされて先端側を前記折り曲げ部から突出された第二の分離片と、前記第一の分離片の一部を該第一の分離片の先端から遠い側が切り残されるようにして外側に切り起こされた第一の係合片と、前記第二の分離片の一部を該第一の分離片の先端から遠い側が切り残されるようにして外側に切り起こされた第二の係合片とを有し、
前記第一および第二の係合片が相対的に前記凹部の入口部側から該凹部の内部側に向かって押し込まれて行くと、前記第一および第二の係合片が一旦前記凹部の入口部に押されて内側に引っ込められるように弾性変位するが、前記凹部の入口部を通過すると、前記第一および第二の係合片が弾性復元力により広がって該第一および第二の係合片の先端側が前記凹部の内面に当接するようになっているものである。
【００１０】
この第一の本発明の取付具においては、折り曲げ部自体は被取付物の凹部内に深く侵入させる必要はない。したがって、取付具を先に支持材に取り付けてから被取付物を取付具に取り付けることもできる（勿論、被取付物に取付具を取り付けてから取付具を支持材に取り付けることもできる）。
【００１１】
また、第一および第二の分離片はそれぞれ基端側のみを第一、第二の折り曲げ面に連続するとともに折り曲げ部から突出されており、さらにそのような第一および第二の分離片の一部を切り起こすことにより第一および第二の係合片が形成されているので、第一および第二の係合片はそれぞれ第一、第二の分離片の弾性変形と、自身の弾性変形との両方により変位できるため、その弾性変位範囲を大きくすることができる。
【００１２】
したがって、第一および第二の係合片の先端側が常に有効に凹部の内面に弾性的に当接されて係合され、被取付物が支持材に確実に取り付けられるようにすることができる。
【００１３】
第二の本発明による取付具は、入口部より内部が広がっている凹部を設けられた被取付物を支持材に取り付けるための取付具において、
弾性を有する金属板を加工してなり、前記支持材に取り付けられる取付具本体部と、この取付具本体部に設けられた、互いに折り曲げられて折り曲げ部を形成している第一および第二の折り曲げ面と、前記第一の折り曲げ面と前記第二の折り曲げ面との間に設けられ、前記第一の折り曲げ面と前記第二の折り曲げ面とを部分的に非連続とし、前記折り曲げ部が前記第一の折り曲げ面と前記第二の折り曲げ面とを部分的にのみ連続させるようにする切り込みと、前記第一の折り曲げ面の一部を前記折り曲げ部側が切り残されるようにして外側に切り起こされた第一の係合片と、前記第二の折り曲げ面の一部を前記折り曲げ部側が切り残されるようにして外側に切り起こされた第二の係合片とを有し、
前記折り曲げ部が相対的に前記凹部の入口部側から該凹部の内部側に向かって押し込まれて行くと、前記第一および第二の係合片が一旦前記凹部の入口部に押されて内側に引っ込められるように弾性変位するが、前記凹部の入口部を通過すると、前記第一および第二の係合片が弾性復元力により広がって該第一および第二の係合片の先端側が前記凹部の内面に当接するようになっているものである。
【００１４】
この第二の本発明の取付具においては、折り曲げ部は第一および第二の折り曲げ面の一部のみを連続させており、他の部分においては第一および第二の折り曲げ面の折り曲げ部側の端部は非連続とされているので、折り曲げ部並びに第一および第二の折り曲げ面は非常に弾性変形しやすくなっている。そして、第一および第二の係合片は、第一および第二の折り曲げ面の一部を切り起こすことにより形成されているので、折り曲げ部並びに第一および第二の折り曲げ面の弾性変形と、自身の弾性変形との両方により変位できるため、その弾性変位範囲を大きくすることができる。
【００１５】
したがって、取付具を先に支持材に取り付けても、取付具の折り曲げ部を被取付物の凹部の内部に侵入させて、被取付物を取付具に取り付けることができる（勿論、被取付物に取付具を取り付けてから取付具を支持材に取り付けることもできる）。また、第一および第二の係合片が常に有効に凹部の内面に弾性的に当接されて係合され、被取付物が支持材に確実に取り付けられるようにすることができる。
【発明の効果】
【００１６】
本発明の取付具においては、
（イ）取付具を先に支持材に取り付けてから被取付物を取付具に取り付けることも、被取付物に取付具を取り付けてから取付具を支持材に取り付けることもできる、
（ロ）被取付物の凹部の内面に係合される係合片の弾性変位範囲を大きくし、係合片が常に有効に凹部の内面に弾性的に当接されて係合され、被取付物が支持材に確実に取り付けられるようにすることができる、
等の優れた効果を得ることができる。
【発明を実施するための最良の形態】
【００１７】
以下、本発明を図面に示す実施例に基づいて説明する。
【実施例１】
【００１８】
図１〜９は本発明の実施例１を示している。本実施例は、被取付物が建物の外装出隅材、支持材が柱等の下地材である場合の取付具に適用した例である。図７に示されるように、被取付物１（外装出隅材）は、互いに直角をなす２つの辺２，３を有しており、内側隅部に外被取付物１の長さ方向に延びる溝状の凹部４を設けられている。この凹部４は入口部４ａ（開口部）より内部が広がった形状をなしている。
【００１９】
図１〜６は本実施例における取付具５を示しており、全体をバネ鋼板等の弾性に富む１枚の金属板をプレス加工してなる。したがって以下に説明する取付具５の各部は全て一体的に設けられている。取付具５の取付具本体部６は第一および第二の折り曲げ面７，８を有しており、これらの第一および第二の折り曲げ面７，８は外力を作用されていない状態では互いに９０度の挟角をなすこととなるように折り曲げられ、折り曲げ部９を形成している。前記第一および第二の折り曲げ面７，８には、それぞれ取付穴１０，１１が設けられている。
【００２０】
前記折り曲げ部９付近には、第一および第二の分離片１２，１３が設けられている。前記第一の分離片１２は、外力を作用されていない状態では、第一の折り曲げ面７と同一平面上に位置しているが、基端側のみを第一の折り曲げ面７に連続され、両側部は第一の折り曲げ面７との間に切り込み１４，１５を設けられることにより第一の折り曲げ面７と非連続とされている。また、この第一の分離片１２の先端側は、第二の折り曲げ面８から切り起こされた状態となっており、折り曲げ部９から突出されている。同様にして、前記第二の分離片１３は、外力を作用されていない状態では、第二の折り曲げ面８と同一平面上に位置しているが、基端側のみを第二の折り曲げ面８に連続され、両側部は第二の折り曲げ面８との間に切り込み１６，１７を設けられることにより第二の折り曲げ面８と非連続とされている。また、この第二の分離片１３の先端側は、第一の折り曲げ面７から切り起こされた状態となっており、折り曲げ部９から突出されている。なお、前記折り曲げ部９は、第一および第二の分離片１２，１３が設けられていることにより、３つの部分に分割されている。
【００２１】
前記第一の分離片１２には、第一の係合片１８が、該第一の分離片１２の一部を該第一の分離片１２の先端から遠い側が切り残されるようにして外側に切り起こすことにより形成されている。この第一の係合片１８は、外側に凹となるように大略円弧状に若干湾曲されている。同様にして、前記第二の分離片１３には、第二の係合片１９が、該第二の分離片１３の一部を該第二の分離片１３の先端から遠い側が切り残されるようにして外側に切り起こすことにより形成されている。この第二の係合片１９は、外側に凹となるように大略円弧状に若干湾曲されている。
【００２２】
次に、図８および９を用いて本実施例における取付具５により被取付物１を支持材２０（下地材）に取り付ける方法を説明する。まず、図８のように取付穴１０，１１を用いて釘やビス２１等により支持材２０に取付具５を取り付ける。
【００２３】
しかる後に、矢印で示されるように被取付物１（出隅材）を取付具５側に押し付けることにより、折り曲げ部９が凹部４の入口部４ａ付近に達することとなるように第一および第二の係合片１８，１９を相対的に凹部４の入口部４ａ側から該凹部４の内部側に向かって押し込んで行くと、第一および第二の係合片１８，１９は一旦凹部４の入口部４ａに押されて内側に引っ込められるように弾性変位する。しかし、凹部４の入口部４ａを通過すると、第一および第二の係合片１８，１９は弾性復元力により広がり、図９のように、該第一および第二の係合片１８，１９の先端側が凹部４の内面のうちの内部に行くほど広がるように傾斜した部分に当接して係合し、被取付物１が取付具５に取り付けられる。
【００２４】
この取付具５においては、折り曲げ部９自体は被取付物１の凹部４内に深く侵入させる必要はない。したがって、取付具５を先に支持材２０に取り付けても、何ら支障なく被取付物１を取付具５に取り付けることができる。
【００２５】
また、第一および第二の分離片１２，１３はそれぞれ基端側のみを第一、第二の折り曲げ面に連続するとともに折り曲げ部９から突出されており、さらにそのような第一および第二の分離片１２，１３の一部を切り起こすことにより第一および第二の係合片１８，１９が形成されているので、第一および第二の係合片１８，１９はそれぞれ第一、第二の分離片１２，１３の弾性変形と、自身の弾性変形との両方により変位できるので、その弾性変位範囲を大きくすることができる。
【００２６】
したがって、第一および第二の係合片１８，１９の先端側が常に有効に凹部４の内面に弾性的に当接されて係合され、被取付物１が支持材２０に確実に取り付けられるようにすることができる。
【００２７】
なお、上記説明では、取付具５を先に支持材２０に取り付けてから被取付物１を取付具５に取り付けているが、勿論、被取付物１に取付具５を取り付けてから取付具５を支持材２０に取り付けることもできる。さらに、凹部４の長さ方向の開口端から第一および第二の係合片１８，１９を凹部４内に挿入して被取付物４を取付具５に取り付けることもできる。
【００２８】
また、本発明において、外力が作用されていない状態における第一および第二の折り曲げ面７，８の挟角の大きさは必ずしも９０度に限られることはない。また、折り曲げ部９が完全にＵ字状に折り曲げられ、第一および第二の折り曲げ面７，８が互いに平行となるようにしてもよい。また、前記実施例１では、第一および第二の折り曲げ面７，８がそれぞれ基本的に平面状となるようにされているが、本発明においては第一および第二の折り曲げ面が基本的には曲面状をなすようにしてもよい。
【実施例２】
【００２９】
図１０および１１は本発明の実施例２を示している。本実施例においても、取付具５は全体をバネ鋼板等の弾性に富む１枚の金属板をプレス加工してなり、したがって以下に説明する取付具５の各部は全て一体的に設けられている。
【００３０】
取付具５の取付具本体部６は３つの山形部２４と、これらの山形部２４の間および両外側に設けられた４つの平坦部２５とを有している。各山形部２４には、それぞれ前記実施例１の場合と同様の第一および第二の折り曲げ面７，８、第一および第二の分離片１２，１３、切り込み１４〜１７、並びに第一および第二の係合片１８，１９が設けられている。取付具本体部６には取付穴１０，１１が設けられており、これらの取付穴１０，１１を用いて図１１に示されるように釘やビス２１等により支持材２０に取付具５を取り付けることができる。
【００３１】
本実施例における被取付物１は、建物の外装材（外壁材）、外装化粧板材等の大略平板状をなしたパネル状材であり、裏面側に３本の溝状の凹部４を設けられている。これらの凹部４は、前記実施例１の場合と同様に入口部４ａ（開口部）より内部が広がった形状をなしている。
【００３２】
本実施例においても、前記実施例１の場合と同様にして、図１１に示されるように各山形部２４の第一および第二の係合片１８，１９の先端側を各凹部４の内面のうちの内部に行くほど広がるように傾斜した部分に係合して被取付物１を取付具５を介して支持材２０に取り付けることができる。
【実施例３】
【００３３】
図１２および１３は本発明の実施例３を示している。本実施例は、本願発明者が前に特開２００２−３８６９４号において提案した取付具および取付構造の構造を併用したものである。本実施例においては、取付具５は基材２６に２つのコの字状材２７を取り付けてなる。
【００３４】
前記基材２６は、全体をバネ鋼板等の弾性に富む１枚の金属板をプレス加工してなり、したがって以下に説明する基材２６の各部は全て一体的に設けられている。前記基材２６は取付具本体部６を有しており、この取付具本体部６はさらに１つの山形部２４と、この山形部２４の両側に設けられた２つの平坦部２５とを有している。前記山形部２４には、前記各実施例の場合と同様の第一および第二の折り曲げ面７，８、第一および第二の分離片１２，１３、切り込み１４〜１７、並びに第一および第二の係合片１８，１９が設けられている。各平坦部２５には、それぞれ取付穴１０，１１が設けられており、これらの取付穴１０，１１を用いて図１３に示されるように釘やビス２１等により支持材２０に取付具５を取り付けることができる。
【００３５】
各コの字状材２７は、全体をバネ鋼板等の弾性に富む１枚の金属板をプレス加工してなり、したがって以下に説明するコの字状材２７の各部は全て一体的に設けられている。各コの字状材２７は、底部２８と、一対の挟み片２９，３０とを有し、大略横断面コの字状とされている。前記底部２８は細長い矩形状かつ平面状をなしており、基材２６の平坦部２５に全面的に接触された状態で基材２６にスポット溶接等により取り付けられている。各挟み片２９，３０はそれぞれ底部２８の幅方向両端から屈曲されて立ち上げられている。各挟み片２９，３０には、該挟み片２９，３０の一部を、該挟み片２９，３０の先端側が切り残されるようにして内側に切り起こしてなる大略矩形状の係合片３１，３２が適当数形成されている。前記係合片３１，３２は内側に凹となるように大略円弧状に若干湾曲されている。
【００３６】
本実施例における被取付物１は、実施例２の場合と同様の建物の外装材（外壁材）、外装化粧板材等の大略平板状をなしたパネル状材であり、裏面側に１本の溝状の凹部４を設けられるとともに、この凹部４の両側に２本の突条３３を設けられている。前記凹部４は、前記各実施例の場合と同様に入口部４ａ（開口部）より内部が広がった形状をなしている。前記突条３３は横断面矩形状をなしており、したがって、突条３３の両側面３３ａ（後で説明するように係合片３１，３２が係合する係合面となる）は被取付物１の厚さ方向に広がる面となっている。
【００３７】
本実施例においては、図１３に示されるように、前記実施例２の場合と同様にして、山形部２４の第一および第二の係合片１８，１９の先端側を各凹部４の内面のうちの内部に行くほど広がるように傾斜した部分に係合することができる。また、同時に相対的に突条３３を挟み片２９，３０間において底部２８側に向かって押し込むと、係合片３１，３２が突条３３のエッジ部に押されて弾性変形し、係合片３１，３２の先端部が突条３３の両側面３３ａに押圧されるようになる。ここにおいて、係合片３１，３２は支持材２０から遠い側から近い側へと斜めに突出しているので、被取付物１２が支持材２０から離れる方向に移動されようとすると、係合片３１，３２の先端部が係合面６，７に一層食い込もうとするので、被取付物１２は取付具５から離れる方向に移動できなくなる。
【００３８】
このようにして、本実施例では、第一および第二の係合片１８，１９と凹部４との係合と、係合片３１，３２と突条３３の両側面３３ａとの係合との両方により、被取付物１を取付具５を介して支持材２０に確実に取り付けることができる。
【実施例４】
【００３９】
図１４〜２０は本発明の実施例４を示している。本実施例における被取付物１（図１９および２０参照）は前記実施例１に関して図７に示したものと同様の外装出隅材であり、入口部４ａ（開口部）より内部が広がった形状をなした凹部４を設けられている。
【００４０】
図１４〜１８は本実施例における取付具５を示しており、全体をバネ鋼板等の弾性に富む１枚の金属板をプレス加工してなる。したがって以下に説明する取付具５の各部は全て一体的に設けられている。取付具５の取付具本体部６は１対の基部４０，４１と第一および第二の折り曲げ面７，８とを有している。前記１対の基部４０，４１は大略矩形状かつ平板状をなしており、外力を作用されない状態では互いに９０度の挟角をなしている。これらの基部４０，４１には、それぞれ取付穴１０，１１が設けられている。前記第一および第二の折り曲げ面７，８は基部４０，４１間に設けられており、それぞれ基部４０，４１から折り曲げられた状態となっている。これらの第一および第二の折り曲げ面７，８は互いに鋭角の挟角をなして折り曲げられ、折り曲げ部９を形成している。ただし、前記折り曲げ部９は、第一および第二の折り曲げ面７，８の中央部のみを連続させており、第一の折り曲げ面７と第二の折り曲げ面８との間の両外側部分は切り込み４２，４３を設けられることにより非連続とされている。
【００４１】
前記第一の折り曲げ面７は、２箇所においてその一部を、折り曲げ部９側が切り残されるようにして外側に切り起こされることにより、２つの第一の係合片４４を設けられている。同様にして、前記第二の折り曲げ面８は、２箇所においてその一部を、折り曲げ部９側が切り残されるようにして外側に切り起こされることにより、２つの第二の係合片４５を設けられている。前記第一および第二の係合片４４，４５は、それぞれ外側に凹となるように大略円弧状に若干湾曲されている。
【００４２】
次に、図１９および２０を用いて本実施例における取付具５により被取付物１を支持材２０（下地材）に取り付ける方法を説明する。まず、図１９のように、取付穴１０，１１を用いて釘やビス２１等により支持材２０（下地材）に取付具５を取り付ける。
【００４３】
しかる後に、矢印で示されるように被取付物１を取付具５に押し付けることにより、折り曲げ部９を凹部４の内部側に向かって相対的に押し込むと、第一および第二の係合片４４，４５は一旦凹部４の入口部４ａに押されて内側に引っ込められるように弾性変位するが、凹部４の入口部４ａを通過すると、弾性復元力により広がって該第一および第二の係合片４４，４５の先端側が図２０のように凹部４の内面のうちの内部に行くほど広がるように傾斜した部分に当接して係合し、被取付物１が取付具５に取り付けられる。
【００４４】
この取付具５においては、折り曲げ部９は第一および第二の折り曲げ面７，８の一部のみを連続させており、他の部分においては第一および第二の折り曲げ面７，８間は非連続とされているので、折り曲げ部９並びに第一および第二の折り曲げ面７，８は非常に弾性変形しやすくなっている。そして、第一および第二の係合片４４，４５は、第一および第二の折り曲げ面７，８の一部を切り起こすことにより形成されているので、折り曲げ部９並びに第一および第二の折り曲げ面７，８の弾性変形と、自身の弾性変形との両方により変位できるため、その弾性変位範囲を大きくすることができる。
【００４５】
したがって、取付具５を先に支持材２０に取り付けても、取付具５の折り曲げ部９を被取付物１の凹部４の内部に侵入させて、被取付物１を取付具５に取り付けることができる。また、第一および第二の係合片４４，４５が常に有効に凹部４の内面に弾性的に当接されて係合され、被取付物１が支持材２０に確実に取り付けられるようにすることができる。
【００４６】
なお、上記説明では、取付具５を先に支持材２０に取り付けてから被取付物１を取付具５に取り付けているが、勿論、被取付物１に取付具５を取り付けてから取付具５を支持材２０に取り付けることもできる。さらに、凹部４の長さ方向の開口端から第一および第二の係合片４４，４５を凹部４内に挿入して被取付物４を取付具５に取り付けることもできる。
【００４７】
また、本発明において、外力が作用されていない状態における第一および第二の折り曲げ面７，８の挟角の大きさは必ずしも図面に示されている角度に限られることはない。また、折り曲げ部９が完全にＵ字状に折り曲げられ、第一および第二の折り曲げ面７，８が互いに平行となるようにしてもよい。また、前記実施例４では、第一および第二の折り曲げ面７，８がそれぞれ基本的に平面状となるようにされているが、本発明においては第一および第二の折り曲げ面が基本的には曲面状をなすようにしてもよい。
【実施例５】
【００４８】
図２１は本発明の実施例５を示している。本実施例においても、取付具５は全体をバネ鋼板等の弾性に富む１枚の金属板をプレス加工してなり、したがって以下に説明する取付具５の各部は全て一体的に設けられている。
【００４９】
取付具５の取付具本体部６は３つの山形部２４と、これらの山形部２４の間および両外側に設けられた４つの平坦部２５とを有している。各山形部２４には、それぞれ前記実施例４の場合と同様の第一および第二の折り曲げ面７，８、折り曲げ部９、切り込み並びに第一および第二の係合片４４，４５が設けられている。両外側の平坦部２５には、それぞれ取付穴（図示せず）が設けられており、これらの取付穴を用いて釘やビス２１等により支持材２０に取付具５を取り付けることができる。
【００５０】
本実施例における被取付物１は、建物の外装材（外壁材）、外装化粧板材等の大略平板状をなしたパネル状材であり、裏面側に３本の溝状の凹部４を設けられており、これらの凹部４は入口部４ａ（開口部）より内部が広がった形状をなしている。
【００５１】
本実施例においても、図１４〜２０の実施例４の場合と同様にして、各山形部２４の第一および第二の係合片４４，４５の先端側を各凹部４の内面のうちの内部に行くほど広がるように傾斜した部分に係合させ、被取付物１を取付具５を介して支持材２０に取り付けることができる。
【実施例６】
【００５２】
図２２は本発明の実施例６を示している。本実施例は、実施例３と同様に本願発明者が前に特開２００２−３８６９４号において提案した取付具および取付構造の構造を併用したものである。本実施例においては、取付具５は基材２６に２つのコの字状材２７を取り付けてなる。
【００５３】
前記基材２６は、全体をバネ鋼板等の弾性に富む１枚の金属板をプレス加工してなり、したがって以下に説明する基材２６の各部は全て一体的に設けられている。前記基材２６は取付具本体部６を有しており、この取付具本体部６はさらに１つの山形部２４と、これらの山形部２４の両側に設けられた２つの平坦部２５とを有している。前記山形部２４には、前記実施例４および５の場合と同様の第一および第二の折り曲げ面７，８、折り曲げ部９、切り込み並びに第一および第二の係合片４４，４５が設けられている。各平坦部２５には、それぞれ取付穴（図示せず）が設けられており、これらの取付穴を用いて釘やビス２１等により支持材２０に取付具５を取り付けることができる。各コの字状材２７は、図１２および１３の実施例３のそれと同様のものである。
【００５４】
本実施例における被取付物１は、実施例５の場合と同様の建物の外装材（外壁材）、外装化粧板材等の大略平板状をなしたパネル状材であり、裏面側に１本の溝状の凹部４を設けられるとともに、この凹部４の両側に２本の突条３３を設けられている。
【００５５】
本実施例においては、図１２および１３の実施例３の場合と同様にして、第一および第二の係合片４４，４５と凹部４との係合と、係合片３１，３２と突条３３の両側面３３ａとの係合との両方により、被取付物１を取付具５を介して支持材２０に確実に取り付けることができる。
【実施例７】
【００５６】
図２３〜２５は本発明の実施例７を示している。本実施例においては、取付具５の素材となる金属板のうちの切り込み部４２，４３に対応する部分を切り捨てないで内側に切り起こすことにより、折り曲げ部９の両端部から第一および第二の折り曲げ面７，８間に斜め方向に延びる過大変形防止片４６としている。他の構成は図１４〜２０の実施例４と同様である。
【００５７】
本実施例においては、外力により折り曲げ部９の挟角が所定の大きさまでで小さくなると、過大変形防止片４６が第一および第二の折り曲げ面７，８間に挟み付けられて折り曲げ部９のそれ以上の変形を制限する。したがって、折り曲げ部９が過大に変形し、永久変形を起こしたり、損傷したりするのを防止できる。
なお、本発明においては、前記各実施例に記載した以外の部材も被取付物とすることができる。
【産業上の利用可能性】
【００５８】
以上のように本発明による取付具は、各種被取付物を取り付ける取付具として有用である。
【図面の簡単な説明】
【００５９】
【図１】本発明の実施例１における取付具を示す斜視図である。
【図２】前記取付具を示す正面図である。
【図３】前記取付具を示す左側面図である。
【図４】前記取付具を示す右側面図である。
【図５】前記取付具を示す平面図である。
【図６】図２のＶＩ−ＶＩ線における拡大断面図である。
【図７】前記実施例１における被取付物を示す斜視図である。
【図８】前記実施例１の取付具に被取付物を取り付ける直前の状態を示す断面図である。
【図９】前記実施例１の取付具に被取付物を取り付けた状態を示す断面図である。
【図１０】本発明の実施例２における取付具を示す斜視図である。
【図１１】前記実施例２の取付具に被取付物を取り付けた状態を示す断面図である。
【図１２】本発明の実施例３における取付具を示す斜視図である。
【図１３】前記実施例３の取付具に被取付物を取り付けた状態を示す断面図である。
【図１４】本発明の実施例４における取付具を示す斜視図である。
【図１５】前記実施例４の取付具を他の方向から見て示す斜視図である。
【図１６】前記実施例４の取付具を示す正面図である。
【図１７】前記実施例４の取付具を示す平面図である。
【図１８】図１６のＸＶＩＩＩ−ＸＶＩＩＩ線における拡大断面図である。
【図１９】前記実施例４の取付具に被取付物を取り付ける直前の状態を示す断面図である。
【図２０】前記実施例４の取付具に被取付物を取り付けた状態を示す断面図である。
【図２１】本発明の実施例５における取付具に被取付物を取り付けた状態を示す断面図である。
【図２２】本発明の実施例６における取付具に被取付物を取り付けた状態を示す断面図である。
【図２３】本発明の実施例７における取付具を示す斜視図である。
【図２４】前記実施例７の取付具を示す平面図である。
【図２５】図２４のＸＸＶ−ＸＸＶ線における断面図である。
【符号の説明】
【００６０】
１    被取付物
４    凹部
４ａ  凹部の入口部
５    取付具
６    取付具本体部
７    第一の折り曲げ面
８    第二の折り曲げ面
９    折り曲げ部
１２    第一の分離片
１３    第二の分離片
１８    第一の係合片
１９    第二の係合片
２０    支持材
４２，４３  切り込み
４４    第一の係合片
４５    第二の係合片
４６    過大変形防止片
【図１】
2005273286.tif 000003
【図２】
2005273286.tif 000004
【図３】
2005273286.tif 000005
【図４】
2005273286.tif 000006
【図５】
2005273286.tif 000007
【図６】
2005273286.tif 000008
【図７】
2005273286.tif 000009
【図８】
2005273286.tif 000010
【図９】
2005273286.tif 000011
【図１０】
2005273286.tif 000012
【図１１】
2005273286.tif 000013
【図１２】
2005273286.tif 000014
【図１３】
2005273286.tif 000015
【図１４】
2005273286.tif 000016
【図１５】
2005273286.tif 000017
【図１６】
2005273286.tif 000018
【図１７】
2005273286.tif 000019
【図１８】
2005273286.tif 000020
【図１９】
2005273286.tif 000021
【図２０】
2005273286.tif 000022
【図２１】
2005273286.tif 000023
【図２２】
2005273286.tif 000024
【図２３】
2005273286.tif 000025
【図２４】
2005273286.tif 000026
【図２５】
2005273286.tif 000027